(57)【要約】【課題】表示装置における複数の回転体に対する駆動手段の数を減らしてコストを低減するとともに、遊技機内の部品収容空間を有効に使用できる遊技機を提供する。【解決手段】複数の識別情報が配列された複数の回転体と該複数の回転体を回転させる駆動手段とで構成された表示装置５０を備える遊技機において、前記駆動手段が複数の回転体を回転させる１つの駆動手段Ｍからなり、前記１つの駆動手段による駆動力を前記複数の回転体５６，５７に個別に伝達する複数の駆動力伝達手段５８，６３を、前記１つの駆動手段と複数の回転体間にそれぞれ設けた。【選択図】図４
2006142062.tif 000002
【特許請求の範囲】
【請求項１】
複数の識別情報が配列された複数の回転体と該複数の回転体を回転させる駆動手段とで構成された表示装置を備える遊技機において、
前記駆動手段が複数の回転体を回転させる１つの駆動手段からなり、
前記１つの駆動手段による駆動力を前記複数の回転体に個別に伝達する複数の駆動力伝達手段を、前記１つの駆動手段と複数の回転体間にそれぞれ設けたことを特徴とする遊技機。
【請求項２】
少なくとも２つの回転体に対するそれぞれの駆動力伝達手段の構成を互いに異ならせることにより、少なくとも２つの回転体の回転速度を互いに異ならせることを特徴とする請求項１に記載の遊技機。
【請求項３】
駆動手段がパルスモータ、
駆動力伝達手段が、前記モータの回転軸に固着された駆動側歯車と複数の回転体それぞれに結合された複数の回転体用歯車と前記駆動側歯車の回転力を回転体用歯車に伝達する伝達歯車とを有する歯車機構からなることを特徴とする請求項１又は２に記載された遊技機。
【請求項４】
駆動手段がパルスモータからなり、
前記パルスモータの駆動及び停止制御を行う駆動停止制御手段と、
複数の回転体それぞれの所定位置を検知する位置検知手段と、
前記位置検知手段による検知に基づき前記パルスモータの停止時点を制御する停止時点制御手段とを備えることを特徴とする請求項１から３のいずれか１項に記載された遊技機。
【請求項５】
複数の回転体のうち少なくとも２つの回転体に配列される識別情報の数が互いに異なることを特徴とする請求項１から４のいずれか１項に記載された遊技機。
【発明の詳細な説明】
【技術分野】
【０００１】
この発明は、複数の識別情報が配列された複数の回転体と該複数の回転体を回転させる駆動手段とで構成された表示装置を備える遊技機に関する。
【背景技術】
【０００２】
従来、パチンコ遊技機等の遊技機にあっては、複数の識別情報が配列された複数の回転体と該複数の回転体を回転させる駆動手段とで構成された表示装置を備え、前記回転体の停止により遊技盤表面で停止した識別情報の組合せによって遊技の当り・外れ等を表示するものがある。
【０００３】
前記表示装置は、複数の回転体ごとに駆動手段としてのモータを備え、該複数の駆動手段の回転速度や停止までの回転数を制御することによって、前記複数の回転体に配列された識別情報の変動表示及び停止時の組合せを変化させていた。
【０００４】
しかし、従来の回転体式の表示装置を備える遊技機にあっては、回転体の数と等しい数の駆動手段が必要なため、複数の駆動手段（モータ）に対する複雑な制御処理が必要になり、処理に負担がかかったり、遊技機の設計が面倒になる問題がある。
【発明の開示】
【発明が解決しようとする課題】
【０００５】
この発明は、前記の点に鑑みなされたものであって、表示装置における複数の回転体に対する駆動手段の数を減らして駆動手段（モータ）に対する制御処理の負担を軽減し、設計が容易な遊技機の提供を目的とする。
【課題を解決するための手段】
【０００６】
請求項１の発明は、複数の識別情報が配列された複数の回転体と該複数の回転体を回転させる駆動手段とで構成された表示装置を備える遊技機において、前記駆動手段が複数の回転体を回転させる１つの駆動手段からなり、前記１つの駆動手段による駆動力を前記複数の回転体に個別に伝達する複数の駆動力伝達手段を、前記１つの駆動手段と複数の回転体間にそれぞれ設けたことを特徴とする。
【０００７】
請求項２の発明は、請求項１において、少なくとも２つの回転体に対するそれぞれの駆動力伝達手段の構成を互いに異ならせることにより、少なくとも２つの回転体の回転速度を互いに異ならせることを特徴とする。
【０００８】
請求項３の発明は、請求項１又は２において、駆動手段がパルスモータ、駆動力伝達手段が、前記モータの回転軸に固着された駆動側歯車と複数の回転体それぞれに結合された複数の回転体用歯車と前記駆動側歯車の回転力を回転体用歯車に伝達する伝達歯車とを有する歯車機構からなることを特徴とする。
【０００９】
請求項４の発明は、請求項１から３のいずれか１項において、駆動手段がパルスモータからなり、前記パルスモータの駆動及び停止制御を行う駆動停止制御手段と、複数の回転体それぞれの所定位置を検知する位置検知手段と、前記位置検知手段による検知に基づき前記パルスモータの停止時点を制御する停止時点制御手段とを備えることを特徴とする。
【００１０】
請求項５の発明は、請求項１から４のいずれか１項において、複数の回転体のうち少なくとも２つの回転体に配列される識別情報の数が互いに異なることを特徴とする。
【発明の効果】
【００１１】
請求項１〜５の発明に係る遊技機によれば、１つの駆動手段で複数の回転体を個別に回転させることができるので、回転体の数と同じ数の駆動手段を設けるのに比べて駆動手段の制御系に負担がかからず、遊技機の設計等が容易になる。
【００１２】
さらに請求項２の発明に係る遊技機によれば、複数の駆動力伝達手段の構成を異ならせることにより、少なくとも２つの回転体の回転速度（回転数）を互いに異ならせることができるため、種々の表示パターンを１つの駆動手段で制御することができる。
【００１３】
さらに請求項３の発明によれば、駆動手段がパルスモータ、駆動力伝達手段が歯車機構からなるため、確実に回転体の回転及び停止を制御することができる。
【００１４】
さらに請求項４の発明によれば、パルスモータ、パルスモータの駆動及び停止制御を行う駆動停止制御手段、複数の回転体それぞれの所定位置を検知する位置検知手段、前記位置検知手段による検知に基づき前記パルスモータの停止時点を制御する停止時点制御手段を備えるため、複数の回転体の停止位置を制御することができ、種々の停止パターンを１つの駆動手段で制御することができる。
【００１５】
さらに、請求項５の発明によれば、複数の回転体のうち少なくとも２つの回転体に配列される識別情報の数が互いに異なるため、１つの駆動手段で種々の識別情報の表示パターンを制御することができる。
【発明を実施するための最良の形態】
【００１６】
以下添付図面を用いてこの発明の実施形態を説明する。図１は本発明の一実施例の遊技機を示す正面図、図２は図１の遊技機における変動表示部の斜視図、図３は図１の遊技機における普通図柄表示装置の斜視図、図４は普通図柄表示装置のカバー体分解斜視図、図５は回転装置の回転機構部の分解斜視図、図６は図１の遊技機における制御系を簡略に示すブロック図である。
【００１７】
図１に示す遊技機１は、パチンコ遊技機であり、外枠２内に着脱可能に遊技盤３が組み付けられている。前記遊技盤３の縁には遊技球の外側ガイドレール４及び内側ガイドレール５が略円形に立設され、前記内側ガイドレール５によって囲まれた遊技領域６に、変動表示部８、普通図柄表示装置５０、特別図柄表示装置８０、各種の入賞口及び発射装置Ｈ等を備える。符号１７はアウト口、１８ａ及び１８ｂはランプ風車、２２ａ及び２２ｂは風車、３４は下側球受け皿、３５及び３５ａはランプ、３７はスピーカである。
【００１８】
入賞口としては、変動表示部８の下方に上側第１種始動入賞口１０、普通電動役物で可動片を有する下側第１種始動入賞口１１、特別電動役物である大入賞口１５が配設され、また、前記上側及び下側第１種始動入賞口１０，１１の左右には左袖入賞口２３と右袖入賞口２５、前記大入賞口１５の両側には左落とし入賞口２７と右落とし入賞口２９が配設されている。そして、発射装置Ｈ（ハンドル）の操作により発射された遊技球が外側ガイドレール４と内側ガイドレール５間の通路を通って遊技領域内に発射され、転動しながら落下し、前記入賞口へ入って該入賞口の裏側に設けられている各スイッチで検知されると、所定数の賞球遊技球が球払出口３６から上側球受け皿３８上に払い出される。
【００１９】
前記変動表示部８の左右には普通図柄変動開始用左ゲート１９及び普通図柄変動開始用右ゲート２１が設けられ、該普通図柄変動開始用左ゲート１９及び普通図柄変動開始用右ゲート２１に遊技球が入球し、該ゲート１９，２１の裏側に設けられている普通図柄変動開始スイッチで検知されることにより、前記普通図柄表示装置５０で左側回転体５６と右側回転体５７が回転する。図３に示すように、前記普通図柄表示装置５０における左側回転体５６及び右側回転体５７の周面５６ａ，５７ａには、複数の識別情報５６ｂ，５７ｂとしての普通図柄が配列され、特定の識別情報で回転体５６，５７が停止することにより小当りとなって、前記下側第１種始動入賞口１１が拡開開放し遊技球が入球し易くなる。この例の左側回転体５６では、周面５６ａが９０°ずつ４つに区切られ、識別情報５６ｂとして赤色の‘７’、‘ＢＡＲ’、青色の‘７’、‘ＢＡＲ’がこの順に周面５６ａに配列され、また右側回転体５７では周面５７ａが６０°ずつ６つに区切られ、識別情報５７ｂとして赤色の‘７’、青色の‘７’、‘ＢＡＲ’、赤色の‘７’、青色の‘７’、‘ＢＡＲ’がこの順に周面５７ａに配列されている。なお、この実施例における変動表示部８及び普通図柄表示装置５０の構造については後述する。
【００２０】
また、前記第１種始動入賞口１０，１１に遊技球が入球し、該始動入賞口１０，１１の裏側に設けられている特別図柄変動開始スイッチで検知されると、前記特別図柄表示装置８０で特別図柄が変動し、特定の組合せの図柄で停止すると、大当りになって大入賞口１５が所定回数開閉を繰り返して遊技球を入球し易くし、入球ごとに所定数の遊技球が払い出されるようになっている。前記特別図柄表示装置８０は、液晶、ドットマトリックスもしくはＬＥＤ表示装置等の表示器からなり、この実施例では、カラー表示可能な液晶表示器（ＴＦＴ−ＬＣＤモジュール）等で構成され、横に並ぶ３つの図柄表示領域に分割されて左側図柄表示領域、中央図柄表示領域、右側図柄表示領域となっている。前記左側図柄表示領域には左特別図柄が、中央図柄表示領域には中特別図柄が、右側図柄表示領域には右特別図柄が、それぞれ変動表示及び停止表示可能とされている。なお、この実施例における左図柄表示領域、中央図柄表示領域、右側図柄表示領域にそれぞれ表示される特別図柄は、‘０’，‘１’，‘２’，‘３’，‘４’，‘５’，‘６’，‘７’，‘８’，‘９’，‘１０’，‘１１’の１２通りの図柄とされ、各表示領域での最終停止図柄が同一となるいわゆるぞろ目、例えば０００，１１１等の場合に大当りを表示するようになっている。
【００２１】
図２に示すように、この実施例における変動表示部８は、前記遊技盤３の略中央に形成された表示装置用開口部に挿入されて遊技盤３の前面側（遊技者側）に取り付けられる前面ケース４１と、遊技盤３の裏面側に取り付けられる裏面ケース４２と、該両ケース４１，４２に保持される前記普通図柄表示装置５０及び特別図柄表示装置８０とで構成される。
【００２２】
前記前面ケース４１には、その上半分側に前記普通図柄表示装置５０の回転体５６，５７用の表示窓４１ａ，４１ｂと、下半分側に前記特別図柄表示装置８０用の表示窓４１Ｃがそれぞれ形成され、また前記上下中間部に特別図柄記憶表示ＬＥＤ４１ｄが形成され、さらに周縁が遊技盤３への取付部４１ｅとされている。前記特別図柄記憶表示ＬＥＤ４１ｄは、前記第１種始動入賞口１０，１１に入球し、まだ当否判定に使用されていない入球数を表示するためのものであって、この実施例では現在当否判定に使用されているものを除き、最大４個が遊技機１に記憶されて当該特別図柄記憶表示ＬＥＤ４１ｄに点灯表示されるようになっている。
【００２３】
前記裏面ケース４２には、その上半分側に前記普通図柄表示装置５０用の開口部４２ａが形成され、また下半分側に前記特別図柄表示装置８０用の開口部４２ｂが形成され、それぞれの開口部４２ａ，４２ｂに当該ケース４２の裏面側から普通図柄表示装置５０及び特別図柄表示装置８０が挿入固定されるようになっている。さらに、前記裏面ケース４２の周縁には遊技盤３の裏面側への取付部４２Ｃが形成されている。
【００２４】
前記普通図柄表示装置５０は、図３及び図４に示すように、上側カバー体５２、下側カバー体５３、及び両側部カバー体５４，５４から構成されるカバー体５１と、該カバー体５１内にパルスモータＭを除く大部分が収納される回転装置５５とからなる。
【００２５】
前記上側カバー体５２と下側カバー体５３の前面には、前記前面ケース４１の表示窓４１ａ，４１ｂと対応する表示窓５１ａ，５１ｂが形成され、後面の両縁には前記後面ケース４２への取付部５２Ｃ，５３Ｃがそれぞれ設けられている。符号５３ｄ，５３ｅは軸受け用凹部、５３ｆはパルスモータＭの回転軸受け用凹部である。また、前記両側部カバー体５４，５４は、前記上側カバー体５２と下側カバー体５３の組合せ状態における両側部の開口に蓋をするように取り付けられる。
【００２６】
前記回転装置５５は、前記の如く周面５６ａ，５７ａに複数の識別情報が配列された左側回転体５６及び右側回転体５７と、該左側回転体５６及び右側回転体５７を回転させる１つの駆動手段としての公知のパルスモータＭ（例えばブラザー工業株式会社製のＰＳＢ−２５Ｃ）と、前記パルスモータＭによる駆動力を左側回転体５６及び右側回転体５７に個別に伝達する２つの駆動力伝達手段に相当する左側回転体用歯車機構５８と右側回転体用歯車機構６３とよりなる。
【００２７】
図５に示すように、前記左側回転体５６及び右側回転体５７は、中央に境界部５９ａが形成されて前記上側カバー体５２と下側カバー体５３間に回転可能に保持された１本の回転体支持軸５９の左右両側から挿入されて、互いに個別に回転できるよう回転体支持軸５９に対し空転可能とされている。
【００２８】
前記左側回転体用歯車機構５８は、前記パルスモータＭの回転軸ｍに固着された駆動側歯車６０と、前記左側回転体５６の側面に嵌合等で結合された左側回転体用歯車６１と、前記駆動側歯車６０及び左側回転体用歯車６１に噛み合って駆動側歯車６０の回転力を左側回転体用歯車６１に伝達する左側回転体用伝達歯車６２とで構成される。前記左側回転体用伝達歯車６２は、前記上側カバー体５２と下側カバー体５３間に回転可能に保持された１本の軸６４に固着されて、該軸６４と一体に回転するようになっている。符号６７は前記左側回転体用伝達歯車６２を軸６４へ固定する軸止め部材である。
【００２９】
前記右側回転体用歯車機構６３は、前記右側回転体５７の側面に嵌合等で結合された右側回転体用歯車６５と、前記左側回転体用伝達歯車６２が固着された軸６４に固着されて前記右側回転体用歯車６５と噛み合う右側回転体用伝達歯車６６とよりなる。前記右側回転体用伝達歯車６６は、前記軸６４を介して左側回転体用伝達歯車６２と一体に回転することにより、前記駆動側歯車６０の回転力を右側回転体用歯車６５に伝達し、右側回転体５７を回転させる。符号６８は前記右側回転体用伝達歯車６６を軸６４へ固定する軸止め部材である。
【００３０】
この実施例では、前記左側回転体用歯車機構５８と右側回転体用歯車機構６３とは、駆動力伝達手段である歯車機構の構成を異ならせることにより、左側回転体５６と右側回転体５７の回転速度（一定時間における回転数）が異なるようになっている。すなわち、前記左側回転体用歯車機構５８では、駆動側歯車６０と左側回転体用伝達歯車６２と左側回転体用歯車６１のいずれも歯数が２０とされ、それによってパルスモータＭの回転軸ｍと同一方向へ同一回転速度（回転数）で左側回転体用歯車６１及び左側回転体５６が回転するようになっている。それに対し、前記右側回転体用歯車機構６３では、前記駆動側歯車６０の回転によって左側回転体用伝達歯車６２と一体に回転する右側回転体用伝達歯車６６の歯数が１６、該右側回転体用伝達歯車６６と噛み合う右側回転体用歯車６５の歯数が２４とされ、それによって前記パルスモータＭの回転軸ｍと同一方向、かつ該回転軸ｍの２／３倍の回転速度（回転数）で右側回転体用歯車６５及び右側回転体５７が回転するようになっている。このように、左側回転体５６と右側回転体５７とで駆動力伝達手段である歯車機構の構成を異ならせることにより、この実施例では、表１のように左側回転体５６が３回転した時に右側回転体５７が２回転するようになっている。
【００３１】
【表１】
2006142062.tif 000003
【００３２】
さらに、この遊技機１においては、前記左側回転体５６及び右側回転体５７における所定位置を検知する検知手段が設けられており、両回転体５６，５７の周面における所定の識別情報の位置が把握できるるようになっている。この実施例では、表１のように、前記普通図柄表示装置５０の回転体５６，５７用表示窓５１ａ，５１ｂの位置に、前記両回転体５６，５７の識別情報がいずれも赤色の‘７’で表示されて小当たり（下側第１種始動入賞口１１の拡開開放を行う普通図柄当り）となる両回転体５６，５７の停止位置を起点とし、その起点を検知するようになっている。また、この例の検知手段は、環状体の周面の一部に光の透過できるスリット６９ａ，７０ａがそれぞれ形成されて前記左側回転体用歯車６１の側面に固着された左側回転体用位置確認部材６９及び右側回転体用歯車６５の側面に固着された右側回転体用位置確認部材７０と、前記両位置確認部材６９の環状体内外面を挟むようにして設けられるフォトセンサー等からなる左側回転体用位置検知器７１及び右側回転体用位置検知器７２とよりなる。前記スリット６９ａ，７０ａは左側回転体５６と右側回転体５７のそれぞれの周面において起点として設定された１つの赤色の‘７’が位置する両回転５６，５７の側部に設定される。なお、前記検知手段は、フォトセンサーを用いるものに限られるものではない。
【００３３】
また、前記パルスモータＭは、図６に示す主制御回路１４０に含まれる駆動停止手段及び停止時点制御手段によって制御される。前記駆動停止手段は、パルスモータＭの駆動及び停止を行うのに対し、前記停止制御手段は、前記位置検知手段による検知結果に基づいてパルスモータＭの停止時点、すなわち左側及び右側回転体５６，５７の停止位置を制御し、前記普通図柄表示装置５０の回転体５６，５７用表示窓５１ａ，５１ｂに位置する識別情報を制御する。
【００３４】
前記主制御回路１４０は、ＣＰＵ，ＲＡＭ，ＲＯＭ，複数のカウンタを備えたコンピュータと、該コンピュータと表示制御回路１５０等を結ぶ入出力回路と、前記コンピュータと大入賞口１５に接続される中継回路等を結ぶ入出力回路等で構成される。前記ＣＰＵは、制御部，演算部，各種カウンタ，各種レジスタ，各種フラグ等を備え、演算制御を行う他、大当りの発生確率や小当りの発生確率を定める乱数等も生成している。また、前記ＲＡＭは、特別図柄変動開始の検知信号及び普通図柄変動開始スイッチの検知信号用の記憶領域，ＣＰＵで生成される各種乱数値用の記憶領域，各種データを一時的に記憶する記憶領域やフラグ，ＣＰＵの作業領域を備えている。さらに、前記ＲＯＭには、遊技上の制御プログラムや制御データ（例えば前記駆動停止手段及び停止時点制御手段用データ）が書き込まれている他、後述する各遊技状態における大当り及び小当りの判定値等が書き込まれている。さらにこの実施例では、前記左側回転体位置検知器７１及び右側回転体位置検知器７２は前記コンピュータと入出力回路を通じて接続され、また前記コンピュータと普通図柄表示装置５０におけるパルスモータＭとは前記入出力回路を介して接続されている。
【００３５】
また、前記表示制御回路１５０は、ＣＰＵ，ＲＡＭ，ＲＯＭを備えたコンピュータと、該コンピュータと前記主制御回路１４０を結ぶ入力回路と、前記コンピュータと特別図柄表示装置（判定結果確定停止表示手段）８０を結ぶ出力回路等で構成される。前記ＣＰＵは、内部に制御部，演算部，各種カウンタ，各種レジスタ，各種フラグ等を有し演算制御を行うようになっている。また、前記ＲＡＭは、各種データの記憶領域と前記ＣＰＵによる作業領域等を有している。さらに、前記ＲＯＭには表示データや各種表示プログラム等の図柄データが書き込まれている。
【００３６】
なお、前記主制御回路１４０或いは表示制御回路１５０に設けられる複数のフラグとしては、この実施例では大当り判定用フラグＦ１，小当り判定用フラグＦ２の２種類ある。これらのフラグは、初期設定時には全て０にセットされ、大当りの時にはＦ１＝１にセットされ、また小当りの時にはＦ２＝１にセットされる。
【００３７】
さらに、前記主制御回路１４０に設けられる複数のカウンタは、この実施例では前記大入賞口１５を所定回数開く特別遊技が実行される大当りに関するものとして大当り判定用カウンタ、大当たり時に前記特別図柄表示装置８０に表示される大当り図柄組合せを決定する大当り特別図柄決定用カウンタ、外れ時に前記特別図柄表示装置８０に表示される外れ図柄組合せを決定する外れ特別図柄決定用カウンタがあり、また、前記下側第１種始動入賞口１１の拡開開放を行う小当たりに関するものとして小当り用カウンタがある。
【００３８】
この発明における実施例では、普通図柄表示装置５０に利用されている回転装置５５に特徴を有するため、前記大当たりに関するカウンタ及びそれを利用した特別遊技の実行処理については、以下において簡略に説明する。
【００３９】
大当り判定用カウンタは、大当りか否かを判定するためのものであり、この例では０〜６２９の数値を有し、遊技機１の電源投入時‘０’から始まって、所定の割り込み時間（例えば４．０００ｍｓ）ごとに１ずつ加算され、数値が‘６２９’になると、次に再び‘０’に戻って前記加算を繰り返すようになっている。この大当り判定用カウンタの数値は、遊技球が第１種始動入賞口１０，１１に入賞して特別図柄変動開始スイッチによって検知された時に取得され、予め決定されている大当り用対比数値、実施例では後記の低確率時‘５’，‘５００’と対比され、また高確率時‘５’，‘５０’，‘１００’，‘２００’，‘３００’，‘３５０’，‘４００’，‘４５０’，‘５００’，‘６００’と対比されて大当りか否か判断され、数値が一致して大当りと判定されると、前記Ｆ１が１にセットされる。また、当否の判定が終了するまでの間に、遊技球が第１種始動入賞口１０，１１に入賞して大当たり判定用カウンタの数値が再び取得されることがあるため、前記大当り判定用カウンタの記憶取得数値（更新取得数値）は、現在判定中の取得数値を除いて最大４個が、前記主制御回路１４０におけるＲＡＭの当該格納領域に格納され、順次判定に供される。
【００４０】
大当り特別図柄決定用カウンタは、前記特別図柄表示装置８０の左側表示領域、中央表示領域、右側表示領域に同一停止して揃う大当り図柄組合せを決定するものである。この大当り特別図柄決定用カウンタは、その数値が電源投入時に‘０’から始まって前記割り込み時間毎に‘１’ずつ加算し、‘９’に至ると次に再び‘０’に戻る繰り返しを行う。この大当り特別図柄決定用カウンタの数値は、前記第１種始動入賞口１０，１１の入賞球が特別図柄変動開始スイッチによって検知された時に取得され、現在表示中に対するものを除き、最大４個まで前記主制御回路１４０のＲＡＭに格納される。前記大当り特別図柄決定用カウンタの数値には、各数値に対応する大当り図柄組合せが予め割り当てられている。実施例においては、前記大当り特別図柄決定用カウンタの取得数値が‘０’のときは大当り図柄組合せが『０，０，０』、取得数値が‘１’のときは大当り図柄組合せが『１，１，１』になる等、大当り特別図柄決定用カウンタの取得数値が大当り図柄組合せのぞろ目を構成する図柄となるように割り当てられている。さらに、この実施例の遊技機１においては、大当り図柄組合せが、『１，１，１』のように奇数のぞろ目であるときには、大当りの発生に加えて、大当り終了後に高確率に設定され、次回の大当り発生確率が通常遊技状態（低確率状態、１／３１５）よりも高い確率変動状態（高確率状態、５／３１５）になる。
【００４１】
外れ特別図柄決定用カウンタは、前述した大当り当否の判定による外れ時、特別図柄表示装置８０に確定停止表示する外れ特別図柄の決定に用いられるものである。この実施例では左側表示領域用カウンタ、中央表示領域用カウンタ、右側表示領域用カウンタからなり、それぞれ‘０’〜‘９’の数値で構成される。そして、この外れ特別図柄決定用カウンタはその数値が電源投入時に‘０’から始まり、前記大当り特別図柄決定用カウンタの数値が加算の繰り返しによって‘９’から再び‘０’に戻る際に‘１’ずつ加算されるようになっている。また、前記中央表示領域用カウンタは、前記左側表示領域用カウンタの数値がその加算の繰り返しによって‘９’まで増加し再び‘０’に戻る際に数値が‘１’ずつ加算され、さらに、その加算の繰り返しによって中央表示領域用カウンタの数値が‘９’まで増加し再び‘０’に戻る際に右側表示領域用カウンタの数値が‘１’ずつ加算されるようになっている。これによって、前記大当り特別図柄決定用カウンタと外れ特別図柄決定用カウンタが同期（同一の組合せで加算）するのを避けることができる。さらにこの実施例では、外れの場合において、偶発的に左側，中央，右側表示領域用カウンタの数値が一致、すなわち大当り図柄組合せを構成した場合には、右側表示領域用カウンタの数値を１減算、すなわち外れ図柄組合せを構成するようになっている。なお、右側表示領域用カウンタについても、加算の繰り返しによって数値が‘９’に至ると再び‘０’に戻るようになっている。
【００４２】
前記左側，中央，右側表示領域用カウンタの各数値には、対応する図柄が予め割り当てられている。実施例では、前記各カウンタの取得数値が‘１’のときは外れ図柄が『１』になる等、各カウンタの取得数値がそのまま外れ図柄として割り当てられている。そして、前記特別図柄変動開始スイッチによって入賞球が検知される毎に左側，中央，右側表示領域用カウンタから取得される数値の組合せによって、外れ時に特別図柄表示装置８０の左側表示領域、中央表示領域、右側表示領域に確定停止表示される外れ図柄の組合せが定まる。また、外れ特別図柄決定用カウンタの取得数値は、前記主制御回路１４０におけるＲＡＭの外れ図柄格納領域に所定数、この例では、表示中の外れ特別図柄に対する数値を除き、最大４個まで格納される。
【００４３】
前記特別遊技の実行処理は、前記主制御回路１４０による一連の処理において、前記フラグＦ１の値が１であるか否か判断され、Ｆ＝１の場合には大当り特別図柄決定用カウンタで決定された大当り図柄が特別図柄表示装置８０に表示された後、所定の特別遊技が実行される。また、前記Ｆ１＝０の場合には、外れ特別図柄決定用カウンタで決定された外れ図柄が特別図柄表示装置８０に表示される。
【００４４】
それに対して、小当り用カウンタはその数値Ｃが１〜１２で構成され、予め‘１’の場合に小当りと設定されており、また各数値に対応する普通図柄（識別情報）が予め割り当てられている。この実施例においては、小当たり用カウンタの取得数値Ｃに応じて前記普通図柄表示装置５０の表示窓５１ａ，５１ｂに停止表示する両回転体５６，５７の停止普通図柄（停止識別情報）が表１のように定められている。例えば、小当り用カウンタの取得数値Ｃが‘１’のときは小当りを構成して左側回転体５６及び右側回転体５７のいずれも、停止普通図柄（識別図柄）が赤色の‘７’となり、小当り用カウンタの取得数値Ｃが‘２’のときは左側回転体５６の停止普通図柄が‘ＢＡＲ’、右側回転体５７の停止普通図柄が青色の‘７’になる等である。
【００４５】
次に、前記小当り用カウンタを用いる小当りの判定処理及び普通図柄表示装置５０の作動等について説明する。図７は小当りに関して主制御回路等が実行するフローチャートである。
【００４６】
まず、小当り用カウンタに対する乱数更新処理が行われる（Ｓ１０）。前記小当り用カウンタは、電源投入時に‘１’から始まって前記割り込み時間毎に‘１’ずつ加算され、‘１２’に至った後、再び‘１’から始まって加算が繰り返される。そして、Ｃカウンタの更新数値が主制御回路１４０におけるＲＡＭの対応する乱数記憶エリアに記憶される。
【００４７】
次に乱数取得処理が行われる（Ｓ２０）。ここでは、まず前記普通図柄変動開始用左ゲート１９及び普通図柄変動開始用右ゲート２１を遊技球が通過したか否か判断され、通過した遊技球が普通図柄変動開始スイッチで検知されると小当り用カウンタの更新数値Ｃが取得され、前記主制御回路１４０のＲＡＭに格納される。その際、普通図柄表示装置５０において表示に使用中のものを除き、最大４個までＲＡＭに格納される。
【００４８】
次に小当り当否判定処理が行われる（Ｓ３０）。ここでは、図８に示すように、小当り用カウンタの取得数値Ｃが‘１’か否か、すなわち小当りか否か判断され（Ｓ３１）、取得数値Ｃが‘１’の小当たりの場合には小当り判定用フラグＦ２を１にセットする（Ｓ３２）。
【００４９】
次に普通図柄決定処理が行われる（Ｓ４０）。ここでは、図９に示すように、Ｆ２が１か否か判断され（Ｓ４１）、Ｆ２＝１の場合、すなわち小当りの場合には前記小当り用カウンタの取得数値Ｃに基づく小当り停止普通図柄で両回転体５６，５７が停止するように指示される（Ｓ４２）。この例では表１のように左側回転体５６及び右側回転体５７の停止表示普通図柄が、いずれも赤‘７’に決定される。また、前記フラグＦ２が１でない場合、すなわち外れの場合には、前記小当り用カウンタの取得数値Ｃに基づいて表１のように決定された外れ停止普通図柄で停止表示することが指示される（Ｓ４３）。
【００５０】
次に普通図柄表示処理を行う（Ｓ５０）。ここでは、図１０に示すように、前記普通図柄決定処理（Ｓ４０）で決定された停止普通図柄で前記普通図柄表示装置５０の左側回転体５６及び右側回転体５７を停止させるための処理を行う。まず前記普通図柄決定処理（Ｓ４０）による表示指示の有無が判断される（Ｓ５１）。そして表示指示があった場合には、前記普通図柄表示装置５０の回転体５６，５７が現在回転中か否か判断され（Ｓ５２）、回転中でない場合には高確率中か否か判断される（Ｓ５３）。高確率中の場合には約５秒間、前記左側回転体５６及び右側回転体５７を回転させた後に、前記普通図柄決定処理（Ｓ４０）で決定された停止普通図柄で両回転体５６，５７が停止するように変動時間短縮変動停止処理が決定され（Ｓ５４）、高確率中ではない場合には通常の回転時間（変動時間）である約１０秒間、前記左側回転体５６及び右側回転体５７を回転させた後に、前記普通図柄決定処理（Ｓ４０）で決定された停止普通図柄で両回転体５６，５７が停止するように通常変動停止処理が決定される（Ｓ５５）。
【００５１】
次に始動入賞口開放処理（Ｓ６０）がなされる。ここでは、図１１に示すように、まず小当り判定用フラグＦ２が１か否か判断され（Ｓ６１）、Ｆ２＝１の小当たりの場合には普通図柄表示装置５０の左側回転体５６と右側回転体５７が停止しているか否かが判断され（Ｓ６２）、両回転体５６，５７が停止している場合にはさらに下側第１種始動入賞口１１が開放中か否か判断される（Ｓ６３）。ここで、下側第１種始動入賞口１１が開放中ではない場合には、下側第１種始動入賞口１１を開放した（Ｓ６４）後、高確率中か否かの判断がなされる（Ｓ６５）。前記Ｓ６３で下側第１種始動入賞口１１が開放中と判断された場合には、前記下側第１種始動入賞口１１の開放処理（Ｓ６４）のステップは省略される。そして、Ｓ６５で高確率中と判断された場合には、下側第１種始動入賞口１１の開放時間が５．１秒経過したか（Ｓ６６）、あるいは上側及び下側第１種始動入賞口１０，１１への入球数が６個となったか（Ｓ６７）のいずれかの場合、前記下側第１種始動入賞口１１が閉じ（Ｓ６８）、その後フラグＦ２が０にセットされる（Ｓ６９）。また、Ｓ６５で高確率中ではないと判断された場合には、前記下側第１種始動入賞口１１の開放時間が０．４秒経過したか（Ｓ７０）、あるいは上側及び下側第１種始動入賞口１０，１１への入球数が６個になったか（Ｓ６７）のいずれかの場合、前記下側第１種始動入賞口１１が閉じ（Ｓ６８）、その後フラグＦ２が０にセットされる（Ｓ６９）。なお、前記下側第１種始動入賞口１１の開閉はソレノイドによって行われ、また前記入賞毎に払出装置によって所定数の賞球が払い出される。
【００５２】
以下に、前記小当り停止普通図柄表示指示及び外れ停止普通図柄表示指示による普通図柄表示装置５０のパルスモータＭに対する駆動及び停止制御並びに停止時点の制御を、通常時の低確率中の場合を例にして説明する。まず、前記小当り停止普通図柄表示指示に関しては、図１２に示す小当り図柄表示処理のように、まず前記パルスモータＭが駆動して回転軸ｍが一方向へ回転し（Ｓ７１）、それによって前記左側回転体５６及び右側回転体５７が同一方向へ回転する。その際、前記左側回転体５６と右側回転体５７との回転速度の比は３：２であり、左側回転体５６が３回転する間に右側回転体５７が２回転するようになっている。続いて、前記パルスモータＭが回転開始から１０秒間経過したか否か判断され（Ｓ７２）、１０秒間経過した場合には、前記左側回転体用位置検知器７１及び右側回転体用位置検知器７２により左側回転体用位置確認部材６９及び右側回転体用位置確認部材７０のスリット６９ａ，７０ａ（起点）が同時に検知されたか否か、すなわち前記左側回転体５６と右側回転体５７における起点（赤色の‘７’）が同時に検知されて位置が揃ったか否かが判断され（Ｓ７３）、起点が揃ったと判断された場合にはパルスモータＭをさらに３回転させ（Ｓ７４）、３回転回転した時点で停止させて両回転体５６，５７を停止させる（Ｓ７５）。この両回転体５６，５７の回転停止により、普通図柄表示装置５０の回転体５６，５７用表示窓５１ａ，５１ｂ、すなわち遊技盤３前面では左側回転体５６及び右側回転体５７のいずれも赤色の‘７’で停止表示し、小当りが表示される。なお、前記Ｓ７２でパルスモータＭの回転が１０秒経過していない場合あるいはＳ７３でスリット６９ａ，６９ｂ（起点）が同時に検知されなかった場合には、再度Ｓ７１に戻ってパルスモータの駆動が続けられる。
【００５３】
一方、外れ停止普通図柄表示指示の場合には、図１３のように、まず前記パルスモータＭが駆動して回転軸ｍが一方向へ回転し（Ｓ８１）、それによって前記左側回転体５６及び右側回転体５７が同一方向へ回転する。その際、前記のように左側回転体５６と右側回転体５７の回転速度比は３：２である。続いて、前記パルスモータＭが回転開始から１０秒間経過したか否か判断され（Ｓ８２）、１０秒経過していない場合には再度パルスモータＭの駆動（Ｓ８１）に戻り、それに対して１０秒間経過した場合には、前記左側回転体用位置検知器７１及び右側回転体用位置検知器７２により前記スリット６９ａ，７０ａ（起点）が同時に検知されたか否か、すなわち前記左側回転体５６と右側回転体５７における起点（赤色の‘７’）が同時に検知されて揃ったか否かが判断される（Ｓ８３）。そして、起点が同時に検知されていない場合には再度パルスモータＭの駆動（Ｓ８１）に戻り、一方、起点が同時に検知された場合には小当り用カウンタの取得数値Ｃが２〜４であるか（Ｓ８４）、５〜８又は９〜１２であるか（Ｓ８５）が順に判断される。
【００５４】
そして、前記小当り用カウンタの取得数値Ｃが２〜４の場合には、前記パルスモータＭを前記起点が揃った状態からさらに３回転させ（Ｓ８７）、それによって左側回転体５６及び右側回転体５７の起点を再度揃える。次いで図１４のように小当り用カウンタの取得数値Ｃが２か（Ｓ８８）、３又は４か（Ｓ８９）が判断される。前記Ｓ８８でＣ＝２の場合には、前記パルスモータＭをさらに９０°回転させ（Ｓ９０）、それによって普通図柄表示装置５０の回転体５６，５７用表示窓５１ａ，５１ｂ、すなわち遊技盤３の前面に、表１で示すように、左側回転体５６が起点から９０°回転した位置で停止し、また右側回転体５７が起点から６０°回転した位置で停止し、左側回転体５６では‘ＢＡＲ’、右側回転体５７では青色の‘７’が停止表示され、小当り外れが表示される（Ｓ９１）。
【００５５】
前記Ｓ８９で小当り用カウンタの取得数値Ｃが３の場合、前記パルスモータＭをＳ８７の起点が揃った状態から１８０°回転させ（Ｓ９２）、それによって普通図柄表示装置５０の回転体５６，５７用表示窓５１ａ，５１ｂ、すなわち遊技盤前面では、左側回転体５６が起点から１８０°、右側回転体５７が起点から１２０°回転した位置で停止し、左側回転体５６では青色の‘７’、右側回転体５７では‘ＢＡＲ’が停止表示され、小当り外れが表示される（Ｓ９３）。
【００５６】
前記Ｓ８９で小当り用カウンタの取得数値Ｃが４の場合、前記パルスモータＭをＳ８７の起点が揃った状態から２７０°回転させ（Ｓ９４）、それによって普通図柄表示装置５０の回転体５６，５７用表示窓５１ａ，５１ｂ、すなわち遊技盤３の前面では、左側回転体５６が起点から２７０°、右側回転体５７が起点から１８０°回転した位置で停止し、左側回転体５６では‘ＢＡＲ’、右側回転体５７では赤色の‘７’が停止表示され、小当り外れが表示される（Ｓ９５）。
【００５７】
一方、前記Ｓ８５で小当り用カウンタの取得数値Ｃが５〜８の場合、パルスモータＭを起点の揃った状態から１回転させ（Ｓ９６）、図１５に示すように、小当り用カウンタの取得数値Ｃが５か否か（Ｓ９７）、６か否か（Ｓ９８）、７又は８か（Ｓ９９）が順に判断される。そして、小当り用カウンタの取得数値Ｃが５の場合には前記パルスモータＭがＳ９６で１回転した後に停止した状態となり（Ｓ１００）、普通図柄表示装置５０の回転体５６，５７用表示窓５１ａ，５１ｂ、すなわち遊技盤前面では、表１のように、左側回転体５６が起点位置にある赤色の‘７’、右側回転体５７が起点から２４０°回転した位置にある青色の‘７’で停止し、小当り外れが表示される（Ｓ１０１）。
【００５８】
前記Ｓ９８で小当り用カウンタの取得数値Ｃが６の場合にはパルスモータＭがＳ９６で１回転した後に９０°回転し（Ｓ１０２）、普通図柄表示装置５０の回転体５６，５７用表示窓５１ａ，５１ｂ、すなわち遊技盤前面では、表１のように、左側回転体５６が起点位置から９０°回転した位置にある‘ＢＡＲ’、右側回転体５７が起点から３００°回転した位置にある‘ＢＡＲ’で停止し、小当り外れが表示される（Ｓ１０３）。
【００５９】
前記Ｓ９９で小当り用カウンタの取得数値Ｃが７の場合にはパルスモータＭがＳ９６で１回転した後に１８０°回転し（Ｓ１０４）、普通図柄表示装置５０の回転体５６，５７用表示窓５１ａ，５１ｂ、すなわち遊技盤前面では、表１のように、左側回転体５６が起点位置から１８０°回転した位置にある青色の‘７’、右側回転体５７が起点位置にある赤色の‘７’で停止し、小当り外れが表示される（Ｓ１０５）。
【００６０】
前記Ｓ９９で小当り用カウンタの取得数値Ｃが８の場合にはパルスモータＭがＳ９６で１回転した後に２７０°回転し（Ｓ１０６）、普通図柄表示装置５０の回転体５６，５７用表示窓５１ａ，５１ｂ、すなわち遊技盤前面では、表１のように、左側回転体５６が起点位置から２７０°の位置にある‘ＢＡＲ’、右側回転体５７が起点から６０°回転した位置にある青色の‘７’で停止し、小当り外れが表示される（Ｓ１０７）。
【００６１】
また、前記起点が揃った後のＳ８５で小当り用カウンタの取得数値Ｃが９〜１２の場合、パルスモータＭを２回転させ（Ｓ８６）、図１６に示すように、小当り用カウンタの取得数値Ｃが９か否か（Ｓ１０８）、１０か否か（Ｓ１０９）、１１又は１２か（Ｓ１１０）が順に判断される。そして、小当り用カウンタの取得数値Ｃが９の場合にはパルスモータＭがＳ８６で２回転した後に停止した状態となり（Ｓ１１１）、普通図柄表示装置５０の回転体５６，５７用表示窓５１ａ，５１ｂ、すなわち遊技盤前面では、表１のように、左側回転体５６が起点位置にある赤色の‘７’、右側回転体５７が起点から１２０°回転した位置にある‘ＢＡＲ’で停止し、小当り外れが表示される（Ｓ１１２）。
【００６２】
それに対し、前記Ｓ１０９で小当り用カウンタの取得数値Ｃが１０の場合にはパルスモータＭがＳ８６で２回転した後に９０°回転し（Ｓ１１３）、普通図柄表示装置５０の回転体５６，５７用表示窓５１ａ，５１ｂ、すなわち遊技盤前面では、表１のように、左側回転体５６が起点から９０°回転した位置にある‘ＢＡＲ’、右側回転体５７が起点から１８０°回転した位置にある赤色の‘７’で停止し、小当り外れが表示される（Ｓ１１４）。
【００６３】
前記Ｓ１１０で小当り用カウンタの取得数値Ｃが１１の場合にはパルスモータＭがＳ８６で２回転した後に１８０°回転し（Ｓ１１５）、普通図柄表示装置５０の回転体５６，５７用表示窓５１ａ，５１ｂ、すなわち遊技盤前面では、表１のように、左側回転体５６が起点から１８０°回転した位置にある青色の‘７’、右側回転体５７が起点から２４０°回転した位置にある青色の‘７’で停止し、小当り外れが表示される（Ｓ１１６）。
【００６４】
また、前記Ｓ１１０で小当り用カウンタの取得数値Ｃが１２の場合にはパルスモータＭがＳ８６で２回転した後に２７０°回転し（Ｓ１１７）、普通図柄表示装置５０の回転体５６，５７用表示窓５１ａ，５１ｂ、すなわち遊技盤前面では、表１のように、左側回転体５６が起点から２７０°回転した位置にある‘ＢＡＲ’、右側回転体５７が起点から３００°回転した位置にある‘ＢＡＲ’で停止し、小当り外れが表示される（Ｓ１１８）。
【００６５】
一方、高確率中の場合は前記Ｓ７２，Ｓ８２におけるパルスモータの駆動時間が５秒間に短縮される。また、前記パルスモータＭは、Ｓ７３，Ｓ８３で左側回転体用位置検知器７１及び右側回転体用位置検知器７２によりスリット６９ａ，７０ａ（起点）が同時に検知された時点から、徐々に回転速度が遅くなって、最終的に停止するようにすれば、遊技者の小当りに対する期待が、一層高まる。
【００６６】
このように、前記遊技機１においては、１つの駆動手段で複数の回転体を個別に回転させることができるので、駆動手段の制御系に負担がかからず、遊技機の設計等が容易になる。しかも、複数の回転体と同じ複数の駆動手段を用いる場合と比べて安価になり、構造上の制約も少なくなって、遊技機内のスペースを有効に利用できるようになるので、遊技機に求められているコスト削減及び遊技機内のスペース増大の要求を満たすこともできる。
【００６７】
なお、前記パルスモータＭの回転停止指示は、前記実施例のように、最初に一定時間回転させた後に、起点を確認して停止制御するものに限られず、例えば、起点を基準に回転体が一定数回転した後にパルスモータの停止制御を行うようにしてもよい。さらに、前記回転体も２つに限られず、３以上であってもよく、駆動力伝達手段も歯車機構に限られるものではない。さらに、前記回転体を用いる表示装置は、大当り判定用に用いてもよい。その他、この発明の趣旨を逸脱しない範囲で適宜変更される。
【図面の簡単な説明】
【００６８】
【図１】本発明の一実施例の遊技機を示す正面図である。
【図２】図１の遊技機における変動表示部の斜視図である。
【図３】図１の遊技機における普通図柄表示装置の斜視図である。
【図４】普通図柄表示装置のカバー体分解斜視図である。
【図５】回転装置の回転機構部の分解斜視図である。
【図６】図１の遊技機における制御系を簡略に示すブロック図である。
【図７】図１の遊技機において小当りに関して主制御回路等が実行するフローチャートである。
【図８】小当り当否判定処理のフローチャートである。
【図９】普通図柄決定処理のフローチャートである。
【図１０】普通図柄表示処理のフローチャートである。
【図１１】始動入賞口開放処理のフローチャートである。
【図１２】小当り図柄表示指示時のパルスモータの駆動等の制御を示すフローチャートである。
【図１３】外れ図柄表示指示時のパルスモータの駆動等の制御を示す第１フローチャートである。
【図１４】外れ図柄表示指示時のパルスモータの駆動等の制御を示す第２フローチャートである。
【図１５】外れ図柄表示指示時のパルスモータの駆動等の制御を示す第３フローチャートである。
【図１６】外れ図柄表示指示時のパルスモータの駆動等の制御を示す第４フローチャートである。
【符号の説明】
【００６９】
１  遊技機
５０  普通図柄表示装置
５６  左側回転体
５６ｂ  識別情報
５７  右側回転体
５７ｂ  識別情報
５８  左側回転体用歯車機構
６０  駆動側歯車
６１  左側回転体用歯車
６２  左側回転体用伝達歯車
６３  右側回転体用歯車機構
６６  右側回転体用伝達歯車
６５  右側回転体用歯車
Ｍ  パルスモータ（駆動手段）
ｍ  回転軸
【図１】
2006142062.tif 000004
【図２】
2006142062.tif 000005
【図３】
2006142062.tif 000006
【図４】
2006142062.tif 000007
【図５】
2006142062.tif 000008
【図６】
2006142062.tif 000009
【図７】
2006142062.tif 000010
【図８】
2006142062.tif 000011
【図９】
2006142062.tif 000012
【図１０】
2006142062.tif 000013
【図１１】
2006142062.tif 000014
【図１２】
2006142062.tif 000015
【図１３】
2006142062.tif 000016
【図１４】
2006142062.tif 000017
【図１５】
2006142062.tif 000018
【図１６】
2006142062.tif 000019